(57)【要約】【課題】空調機試験室内の上部空間と下部空間とを連通する開口位置を変更できる仕切り構造を提供する。【解決手段】試験室（10）内を上部空間（20）と下部空間（30）とに仕切る仕切り板（21）と、上部空間（20）及び下部空間（30）の一方から空気を吸い込んで処理した調和空気を他方へ吹き出して試験室（10）の空気の温度を制御する第１空調機（40）とを備え、下部空間（30）に試験対象の第２空調機（50）が設置される試験室（10）の仕切り構造であって、仕切り板（21）は、該仕切り板（21）の複数の位置に選択的に開口（25）を形成可能に構成されている。【選択図】図３
2020143816.tif 000002
【特許請求の範囲】
【請求項１】
試験室（10）内を上部空間（20）と下部空間（30）とに仕切る仕切り板（21）と、
前記上部空間（20）及び前記下部空間（30）の一方から空気を吸い込んで処理した調和空気を他方へ吹き出して試験室（10）の空気の温度を制御する第１空調機（40）と、
を備え、
前記下部空間（30）に試験対象の第２空調機（50）が設置される試験室（10）の仕切り構造であって、
前記仕切り板（21）は、該仕切り板（21）の複数の位置に選択的に開口（25）を形成可能に構成されることを特徴とする空調機試験室の仕切り構造。
【請求項２】
請求項１において、
前記仕切り板（21）の前記開口（25）は、前記仕切り板（21）を平面から見て格子状に区画された複数の領域に形成される
ことを特徴とする空調機試験室の仕切り構造。
【請求項３】
請求項２において、
前記仕切り板（21）は、複数の前記領域のそれぞれに配置されるパネル（22）と、前記パネル（22）のそれぞれを前記開口（25）が開放される第１位置と前記開口（25）が閉鎖される第２位置とにスライド可能に保持するスライド部材（23）とを備える
ことを特徴とする空調機試験室の仕切り構造。
【請求項４】
請求項１において、
前記仕切り板（21）は、前記開口（25）が形成される位置に、開閉可能なルーバ（61，61，…）を備えることを特徴とする空調機試験室の仕切り構造。
【請求項５】
請求項１において、
前記仕切り板（21）は、複数列に配置され且つ巻き取り可能なシート部材（70，70，…）を備え、
さらに、前記シート部材（70，70，…）を巻き取ることにより前記開口（25）を形成する巻き取り装置（71）を備える
ことを特徴とする空調機試験室の仕切り構造。
【請求項６】
請求項１において、
前記仕切り板（21）は、それぞれに複数の貫通孔が形成された第１仕切り板（80）及び第２仕切り板（81）を備え、
前記第１仕切り板（80）及び前記第２仕切り板（81）は、それらの一方又は両方がスライド可能に重なって配置され
前記開口（25）は、
前記第１仕切り板（80）の第１貫通孔（82，82，…）と第２仕切板の第２貫通孔（83，83，…）とが連通することにより形成され、
前記第１貫通孔（82，82，…）と第２貫通孔（83，83，…）の位置をずらすことにより閉鎖されるように構成されている
ことを特徴とする空調機試験室の仕切り構造。
【請求項７】
請求項１から６のいずれか１つにおいて、
前記仕切り板（21）は、前記開口（25）の数、大きさ及び形状の少なくとも１つを変更可能に構成されている
ことを特徴とする空調機試験室の仕切り構造。
【発明の詳細な説明】
【技術分野】
【０００１】
本開示は、空調機試験室の仕切り構造に関するものである。
【背景技術】
【０００２】
特許文献１には、室温を任意の値に設定できる試験室が開示されている。この試験室は還気口と給気口を備えている。試験室から還気口へ流入した空気は、温度を調節された後に給気口から試験室に吹き出される。
【先行技術文献】
【特許文献】
【０００３】
【特許文献１】特開２００１−３３０７８号公報
【発明の概要】
【発明が解決しようとする課題】
【０００４】
従来より、空気調和装置（以下、「空調機」という）の品質及び性能を評価する試験（以下、「性能試験」という）は、試験室内で行われる。該試験室は、例えば、室内空間を上部空間と下部空間とに仕切る天井を備えるものがある。前記天井には、上部空間と下部空間とを連通する開口部が形成されている。
【０００５】
前記上部空間及び前記下部空間の一方に設けられる給気口、及び他方に設けられる還気口は、エアハンドリングユニットに接続されている。このエアハンドリングユニットにより、前記給気口から室内に供給される空気は、前記開口部を通過して、前記還気口に吸い込まれて再びエアハンドリングユニットに送られる。このように試験室では、空気が循環されることにより温度調整が行われる。
【０００６】
この性能試験は、試験室内の空気の気流が重要である。天井に形成される前記開口部の位置は固定されているため、試験対象の空調機は予め決められた位置に設置されていた。このことにより、試験対象の空調機の設置位置に応じて、前記開口部の位置を変更することができず、性能試験の作業効率が低いという問題があった。
【０００７】
本開示の目的は、試験対象の空調機の性能試験を効率よく実施できる空調機試験室の仕切り構造を提供することにある。
【課題を解決するための手段】
【０００８】
本開示の第１の態様は、試験室（10）内を上部空間（20）と下部空間（30）とに仕切る仕切り板（21）と、前記上部空間（20）及び前記下部空間（30）の一方から空気を吸い込んで処理した調和空気を他方へ吹き出して試験室（10）の空気の温度を制御する第１空調機（40）と、を備え、前記下部空間（30）に試験対象の第２空調機（50）が設置される試験室（10）の仕切り構造であって、前記仕切り板（21）は、該仕切り板（21）の複数の位置に選択的に開口（25）を形成可能に構成されることを特徴とする空調機試験室の仕切り構造である。
【０００９】
第１の態様では、試験室（10）内には上部空間（20）と下部空間（30）とに仕切る仕切り板（21）が設けられる。上部空間（20）及び下部空間（30）の一方には、試験室（10）内から外へ空気を送る還気口（11）が設けられ、他方には試験室（10）に空気が供給される給気口（12）が設けられる。
【００１０】
第１空調機（40）は、例えば、エアハンドリングユニットであり、還気口（11）から吸い込んで処理した調和空気を給気口（12）から試験室内へ吹き出す。このことにより、試験室（10）内の空気を循環させると共に、試験室（10）内の温度を制御する。
【００１１】
仕切り板（21）は、複数の位置に選択的に開口（25）を形成できるように構成されている。開口（25）は、上部空間（20）と下部空間（30）とを連通するように形成される。そのため、給気口（12）から供給された空気は、上部空間（20）及び下部空間（30）の一方の空間から、開口（25）を通過して、他方の空間へ流入する。他方の空間へ流入した空気は還気口（11）を通過して第１空調機（40）へ吸い込まれる。
【００１２】
仕切り板（21）の開口（25）の位置は変更可能である。このため、下部空間（30）に設置された試験対象の第２空調機（50）の位置に合わせて、仕切り板（21）に形成される開口（25）の位置を選択することができる。
【００１３】
第２の態様は、第１の態様において前記仕切り板（21）の前記開口（25）は、前記仕切り板（21）を平面から見て格子状に区画された複数の領域に形成されることを特徴とする空調機試験室の仕切り構造である。
【００１４】
第２の態様では、開口（25）は、仕切り板（21）の格子状に区画された領域のそれぞれに形成される。そのため、作業者は、前記複数の領域のうちどの領域を選択するかにより、開口（25）の位置を選択できる。
【００１５】
第３の態様は、第２の態様において、前記仕切り板（21）は、複数の前記領域のそれぞれに配置されるパネル（22）と、前記パネル（22）のそれぞれを前記開口（25）が開放される第１位置と前記開口（25）が閉鎖される第２位置とにスライド可能に保持するスライド部材（23）とを備えることを特徴とする空調機試験室の仕切り構造である。
【００１６】
第３の態様では、仕切り板（21）の前記領域のそれぞれにパネル（22）が配置されている。パネル（22）はスライド部材（23）によりスライド可能に保持されている。パネル（22）が第２位置から第１位置にスライドすると、開口（25）が開放される。このため、作業者は、前記複数の領域に配置されたパネル（22）のうち、選択したパネル（22）の位置に開口（25）を形成させることができる。
【００１７】
第４の態様は、第１の態様において、前記仕切り板（21）は、前記開口（25）が形成される位置に、開閉可能なルーバ（61，61，…）を備えることを特徴とする空調機試験室の仕切り構造である。
【００１８】
第４の態様では、仕切り板（21）には、開閉自在な複数のルーバ（61，61，…）が設けられている。開口（25）はルーバ（61，61，…）が開くことにより形成される。このため、作業者は、複数のルーバ（61，61，…）のうち、選択したルーバ（61）に開口（25）を形成させることができる。
【００１９】
第５の態様は、第１の態様において、前記仕切り板（21）は、複数列に配置され且つ巻き取り可能なシート部材（70，70，…）を備え、さらに、前記シート部材（70，70，…）を巻き取ることにより前記開口（25）を形成する巻き取り装置（71）を備えることを特徴とする空調機試験室の仕切り構造である。
【００２０】
第５の態様では、仕切り板（21）は複数列に配列された複数のシート部材（70，70，…）により構成される。シート部材（70，70，…）はそれぞれ、巻き取り装置（71）により巻き取られるように変形する。巻き取り装置（71）は、巻き取るシート部材（70）の長さを調節できる。このため、作業者は、複数のシート部材（70，70，…）のうち、選択したシート部材（70）が配置された位置に開口（25）を形成させることができる。また、巻き取り装置（71）が巻き取るシート部材（70）の長さを調節することにより、開口（25）の大きさも調節することができる。
【００２１】
第６の態様は、第１の態様において、前記仕切り板（21）は、それぞれに複数の貫通孔が形成された第１仕切り板（80）及び第２仕切り板（81）を備え、前記第１仕切り板（80）及び前記第２仕切り板（81）は、それらの一方又は両方がスライド可能に互いに重なって配置され、前記開口（25）は、前記第１仕切り板（80）の第１貫通孔（82，82，…）と前記第２仕切り板の第２貫通孔（83，83，…）とが連通することにより形成され、前記第１貫通孔（82，82，…）と前記第２貫通孔（83，83，…）の位置をずらすことにより閉鎖されるように構成されていることを特徴とする空調機試験室の仕切り構造である。
【００２２】
第６の態様では、前記仕切り板（21）は、複数の貫通孔を有する第１仕切り板（80）と第２仕切り板（81）とで構成される。第１仕切り板（80）と第２仕切り板（81）は互いにスライド可能に配置されている。第１仕切り板（80）と第２仕切り板（81）の相対的な位置を変化させると、第１貫通孔（82）と第２貫通孔（83）の相対的な位置も変化する。このため、作業者は、開口（25）を形成させたい位置において、第１貫通孔（82，82，…）と第２貫通孔（83，83，…）とを連通させることによって開口（25）を形成できる。また、作業者は、連通している第１貫通孔（82）及び第２貫通孔（83）の相対的な位置を変更することにより開口（25）閉鎖できる。
【００２３】
第７の態様は、第１から第６の態様のいずれか１つにおいて、前記仕切り板（21）は、前記開口（25）の数、大きさ及び形状の少なくとも１つを変更可能に構成されていることを特徴とする空調機試験室の仕切り構造である。
【００２４】
第７の態様では、第１から第６の態様の仕切り板（21）は、開口（25）の数、大きさ及び形状の少なくとも１つが変更可能に構成されている。そのため、性能試験の内容及び条件等に合わせて、開口（25）を通過する空気の流量や流路を調節することができる。このことにより、多様な性能試験を実施することができる。
【図面の簡単な説明】
【００２５】
【図１】図１は、実施形態に係る空調機試験室の側面から見た断面を示す概略図である。
【図２】図２は、空調機試験室の正面から見た断面を示す概略図である。
【図３】図３は、空調機試験室において空調機を試験している状態を示す側面から見た断面概略図である。
【図４】図４は、空調試験室において空調機を試験している状態を示す平面から見た断面概略図である。
【図５】図５は、変形例１にかかる空調試験室において、空調機を試験している状態を示す側面から見た断面概略図である。
【図６】図６は、変形例１にかかる空調試験室において、空調機を試験している状態を示す平面から見た断面概略図である。
【図７】図７は、変形例２にかかる空調試験室において、空調機を試験している状態を示す側面から見た断面概略図である。
【図８】図８は、変形例３にかかる空調試験室において、空調機を試験している状態を示す側面から見た断面概略図である。
【発明を実施するための形態】
【００２６】
以下、本開示の実施形態について図面を参照しながら説明する。なお、以下の実施形態は、本質的に好ましい例示であって、本発明、その適用物、あるいはその用途の範囲を制限することを意図するものではない。
【００２７】
本開示の試験室（10）は、所定の環境条件下での製品の耐久性や性能を試験する目的で使用される。試験室（10）は、その室内空間（S）に所定の温度の空気を供給することにより、室内空間（S）の空気温度を所望の範囲に制御されるように構成されている。なお、室内空間（S）には、製品として空気調和装置の室外機（第２空調機）（50）が設置されている。また、空調機試験室の外部には、室内空間（S）の気温を調節するために空気を供給及び吸込みをする空調機（第１空調機）（40）が設置されている。
【００２８】
〈空調機試験室の全体構成〉
図１に示すように、試験室（10）は、仕切り板（21）と、還気口（11）と、給気口（12）と、流入空間（14）と、第１空調機（40）とが設けられている。
【００２９】
詳細については後述するが、仕切り板（21）は、室内空間（S）の後ろ寄りに設けられた天井板部（31）から前側へ略水平に延びるように設けられる。仕切り板（21）により、室内空間（S）は上部空間（20）と下部空間（30）とに仕切られている。仕切り板（21）は、上部空間（20）及び下部空間（30）の一方の空気が他方に流入するように、開口（25）が形成される。
【００３０】
還気口（11）は、室内空間（S）の空気が室外へ送風される貫通孔である。還気口（11）は、後ろ側壁面（15）の上部空間（20）側に設けられている。還気口（11）は、室内空間（S）外で還気ダクト（41）に接続されている。室内空間（S）の空気は還気口（11）から還気ダクト（41）に流入する。
【００３１】
給気口（12）は、室内空間（S）へ空気が供給される貫通孔である。給気口（12）は、後ろ側壁面（15）の下部空間（30）側に設けられている。給気口（12）は、室内空間（S）外で給気ダクト（42）に接続されている。
【００３２】
流入空間（14）は室内空間（S）の給気口（12）を含む一部に設けられている。流入空間（14）は、区画壁（16）と還気口（11）の下方に設けられた天井板部（31）の一部とにより形成されている。区画壁（16）には、その下部に流入空間（14）の空気を室内空間（S）に空気を導く吹出口（13）が形成されている。
【００３３】
吹出口（13）には、整流部材（17）が設けられている。整流部材（17）は、例えば、多数の孔が規則的に形成されたパンチング板である。これにより、流入空間（14）内の空気は整流されて吹出口（13）から室内空間（S）へ流入する。
【００３４】
室内空間（S）外には、第１空調機（40）が設置されている。第１空調機（40）には、還気ダクト（41）の流出端（43）と給気ダクト（42）の流入端（44）とが接続されている。このことにより、第１空調機（40）は、上部空間（20）の空気を還気口（11）から吸い込んで処理した調和空気を給気口（12）から下部空間（30）へ吹き出して、室内空間（S）の温度を制御するように構成されている。
【００３５】
〈仕切り板〉
図１及び図２に示す通り、本実施形態の仕切り板（21）は、複数のパネル（22）と複数のスライド部材（23）とを備える。
【００３６】
パネル（22）は、仕切り板（21）を平面から見て縦３列及び横３列の格子状に区画された領域にそれぞれ配置される。パネル（22）は、室内空間（S）の前後方向に延設されたスライド部材（23）によりスライド可能に保持されている。
【００３７】
スライド部材（23）は、パネルの左右両側面を挟持するように室内空間（S）に設けられている。また、スライド部材（23）は、室内空間（S）の上下方向に３段に亘って設けられている。上段のスライド部材（23a）は、最前列のパネル（22a，22a，22a）を保持する。中段のスライド部材（23b）は、２列目のパネル（22b，22b，22b）を保持する。下段のスライド部材（23c）は最後列のパネル（22c，22c，22c）を保持する。これにより、各列のパネル（22a，22b，22c）は互いに重ならないようにスライド部材（23a，23b，23c）に保持される。このため、各パネル（22）は前後方向にスライドできる。
【００３８】
このことにより、本実施形態の仕切り板（21）は、パネル（22）が配置される９つの位置に選択的に開口（25）が形成できるように構成されている。作業者により選択された１のパネル（22）を開口が開放される第１位置にスライドさせることにより、当該パネル（22）が配置された位置に開口（25）が形成される。
【００３９】
−運転動作−
第２空調機（50）の性能試験を行うときの仕切り板（21）の動作について説明する。
【００４０】
図３及び図４に示すように、試験対象の第２空調機（50）は下部空間（30）に設置される。第２空調機（50）は、その側面に設けられた吸気口（51）から空気を吸い込んで、吸い込んだ空気をその上面に設けられた排気口（52）から排気する室外機である。
【００４１】
第２空調機（50）の真上に位置するパネル（22）は、仕切り板（21）に配置されたパネル（22）のうち２列目の中央に配置されるパネル（22b）である。作業者の操作により、該パネル（22b）の位置に開口（25）が形成されるように、該パネル（22b）は、第１位置にスライドする。第１位置は、該パネル（22b）の前後方向にあればよく、例えば、最後列の中央に位置するパネル（22c）に重なる位置、最前列の中央に位置するパネル（22a）に重なる位置又は天井板部（31）上である。これにより、仕切り板（21）の開口（25）は、第２空調機（50）の真上の位置に形成される。
【００４２】
この状態で、第１空調機（40）及び第２空調機（50）の運転が開始されることにより、第２空調機（50）の性能試験が実施される。第１空調機（40）から送風される空気は、給気口（12）から流入空間（14）に流入する。流入空間（14）に流入した空気は吹出口（13）より室内空間（S）へ流入する。
【００４３】
第２空調機（50）は下部空間（30）の空気を吸気口（51）から吸い込み、吸い込んだ空気を排気口（52）から排出する。第２空調機（50）から排出された空気は、第２空調機（50）の真上に位置する開口（25）を通過して、上部空間（20）へ移動する。上部空間（20）に移動した空気は、還気口（11）から再び第１空調機へ送風される。
【００４４】
第２空調機（50）の性能試験が終了した後、作業者は、第１位置にスライドしたパネル（22ｂ）を開口（25）が閉鎖される第２位置にスライドさせる。これにより、仕切り板（21）の開口（25）は閉鎖される。
【００４５】
−実施形態の効果−
前記実施形態の試験室（10）の仕切り構造は、試験室（10）内を上部空間（20）と下部空間（30）とに仕切る仕切り板（21）と、前記上部空間（20）及び前記下部空間（30）の一方から空気を吸い込んで処理した調和空気を他方へ吹き出して室内空間（S）の空気の温度を制御する第１空調機（40）とを備え、前記下部空間（30）に試験対象の第２空調機（50）が設置される試験室（10）の仕切り構造であって、前記仕切り板（21）は、該仕切り板（21）の複数の位置に選択的に開口（25）を形成可能に構成される領域のそれぞれにパネル（22）が配置されている。
【００４６】
具体的には、前記仕切り板（21）の前記開口（25）は、前記仕切り板（21）を平面から見て格子状に区画された複数の領域に形成される。前記仕切り板（21）は、複数の前記領域のそれぞれに配置されるパネル（22）と、前記パネル（22）のそれぞれを前記開口（25）が開放される第１位置と前記開口（25）が閉鎖される第２位置とにスライド可能に保持するスライド部材（23）とを備える。
【００４７】
従来は、室内空間を上部空間と下部空間とに仕切る天井板が設けられた空調機試験室において、該天井板に形成される開口の位置は固定されている。試験対象の空調機は、該開口の真下に設置する必要があるため、試験対象の空調機の設置位置に応じて、前記開口の位置を変更することができなかった。
【００４８】
このことにより、例えば、複数台の空調機の性能試験を行う場合、一つの空調機の性能試験が終了後、該空調機を移動させてから次の空調機を設置する必要があった。そのため、複数台の空調機を一台ずつ効率良く性能試験を行うことができないという問題があった。また、仕切り板の開口部の位置が固定されているため、多様な性能試験を行うことができないという問題があった。
【００４９】
さらに、試験室内で行う空調機の性能試験において、正確に該空調機の性能を評価するためには試験対象の空調機が自身で排出した空気を再び直接吸い込むことを抑制する必要がある。また、給気口から供給された空気が直接還気口へ吸い込まれることを抑制する必要もある。そのため、試験室内の空気の気流を制御することは重要である。
【００５０】
本件実施形態の試験室（10）には、室内空間（S）を上部空間（20）と下部空間（30）とに仕切る仕切り板（21）が設けられている。仕切り板（21）には、格子状に区画された領域のそれぞれにパネル（22）が設けられている。パネル（22）はそれぞれ独立してスライドできるようにスライド部材（23）に保持されている。パネル（22）を開口（25）が開放される第１位置にスライドさせることにより、開口（25）が形成される。
【００５１】
このため、作業者が選択したパネル（22）を、開口（25）が開放される第１位置にスライドさせることによって、仕切り板（21）に選択的に開口（25）を形成させることができる。このことにより、試験対象である第２空調機（50）の設置位置に応じて、仕切り板（21）に形成される開口（25）の位置を変更できる。
【００５２】
また、複数台の第２空調機（50，50，…）の性能試験を行う場合、本実施形態の試験室（10）では全ての第２空調機（50）を試験室（10）内に設置しておくことができる。例えば、1台目の第２空調機（50）の性能試験を行うとき、該第２空調機（50）の真上に位置するパネル（22）が第１位置にスライドすることにより開口（25）が形成される。試験終了後、該パネルが第２位置にスライドすることにより開口（25）は閉鎖される。続いて、２台目の第２空調機（50）の真上に位置するパネル（22）が第１位置にスライドすることにより開口（25）が形成される。試験終了後、該パネルが第２位置にスライドすることにより開口（25）は閉鎖される。このように、開口（25）の位置を変更させることにより、複数台の第２空調機（50，50，…）の試験を効率良く行うことができるため、第２空調機（50）の性能試験の作業効率を向上させることができる。
【００５３】
また、第２空調機（50）の真上のパネル（22）を選択することにより、仕切り板（21）に開口（25）を形成させることができる。そのため、第２空調機の排気口（52）から排気された空気は、その大半が開口（25）を通過して上部空間へ流入する。このことにより、第２空調機（50）から排気された空気を再び第２空調機（50）が直接吸い込むことを抑制できる。また、第２空調機（50）の真上にのみ開口（25）を形成できるため、給気口（12）から供給された空気が直接還気口（11）へ吸い込まれることも抑制できる。従って、第２空調機（50）の性能試験を正確に行うことができる。
【００５４】
〈実施形態の変形例〉
前記実施形態は、以下のような変形例の構成としてもよい。
【００５５】
〈変形例１〉
図５及び図６に示すように、変形例１の試験室（10）の仕切り板（21）は、前記開口（25）が形成される位置に、開閉可能なルーバ（61，61，…）を備える。
【００５６】
変形例１の仕切り板（21）には、試験室（10）の前後方向に複数の板部材（60，60，…）が設けられている。複数の板部材（60，60，…）はそれぞれ、左右方向に所定の間隔を設けて隣り合うように配置されている。各板部材（60，60，…）の左右の両側面には、複数の軸受け部（図示省略）が形成されている。
【００５７】
ルーバ（61，61，…）は矩形の板状に形成されている。複数のルーバ（61，61，…）は、板部材（60，60，…）に沿うように並んで配置されている。ルーバ（61，61，…）の左右側面には、軸部（62，62，…）が形成されている。ルーバ（61，61，…）は、軸部（62，62，…）が板部材（60，60，…）の軸受け部に支持されることにより回動可能となっている。
【００５８】
ルーバ（61，61，…）が板部材（60，60，…）と平行に位置する状態では、ルーバ（61，61，…）は閉状態となる。一方、ルーバ（61，61，…）が、板部材（60，60，…）と垂直に位置する状態では、ルーバ（61，61，…）は開状態となる。
【００５９】
従って、作業者の操作により選択されたルーバ（61）が回動し、該ルーバ（61）が開状態となったとき、該ルーバ（61）が配置される位置に開口（25）が形成される。
【００６０】
以上により、試験機である第２空調機（50）の設置位置に応じて、仕切り板（21）に形成される開口（25）の位置を変更できる。また、試験室（10）に複数台の第２空調機（50，50，…）を設置した場合、実際に試験を行う第２空調機（50）が設置位置に応じて、開口（25）の位置変更できる。そのため、複数台の第２空調機（50，50，…）の性能試験を効率良く行うことができる。このことにより、第２空調機（50）の性能試験の作業効率を向上させることができる。また、第２空調機（50）の真上に開口（25）を形成させることができるため、試験対象の第２空調機（50）から排出された空気を再び第２空調機（50）が直接吸い込むことを抑制できる。さらに、第１空調機（40）により下部空間（30）の給気口（12）から供給された空気が上部空間（20）の還気口（11）へ直接吸い込まれることも抑制できる。従って、第２空調機（50）の性能試験を正確に行うことができる。
【００６１】
〈変形例２〉
図７に示すように、変形例２の試験室（10）の仕切り板は、複数列に配置され且つ巻き取り可能なシート部材（70，70，…）を備え、さらに、前記シート部材（70，70，…）を巻き取ることにより前記開口（25）を形成する巻き取り装置（71）を備える。
【００６２】
変形例２の仕切り板（21）には、試験室（10）の前後方向に複数のシート部材（70，70，…）が設けられている。このシート部材（70，70，…）は、布状の柔軟な部材である。シート部材（70，70，…）は、平面から見てシート部材同士が左右方向に接するように配置されている。試験室（10）の天井板部（31）には、シート部材（70，70，…）を巻き取る巻き取り装置（71）が設置されている。
【００６３】
巻き取り装置（71）は、シート部材（70，70，…）をそれぞれ独立して巻き取ることができる。これにより、作業者により選択されたシート部材（70）が配置された位置に開口（25）を形成することができる。
【００６４】
また、巻き取り装置（71）は、シート部材（70）の巻き取る長さを調節できるように構成されている。これにより、開口（25）の大きさを変更することができる。
【００６５】
以上により、第２空調機（50）の設置位置に応じて、仕切り板（21）に形成される開口（25）の位置を変更できる。また、試験室（10）に複数台の第２空調機（50，50，…）を設置した場合、実際に試験を行う第２空調機（50）が設置位置に応じて、開口（25）の位置変更できる。そのため、複数台の第２空調機（50，50，…）の性能試験を効率良く行うことができる。このことにより、第２空調機（50）の性能試験の作業効率を向上させることができる。また、第２空調機（50）の真上に開口（25）を形成させることができるため、試験対象の第２空調機（50）から排出された空気を再び第２空調機（50）が直接吸い込むことを抑制できる。さらに、第１空調機（40）により下部空間（30）の給気口（12）から供給された空気が上部空間（20）の還気口（11）へ直接吸い込まれることも抑制できる。従って、第２空調機（50）の性能試験を正確に行うことができる。
【００６６】
〈変形例３〉
図８に示すように、変形例３の試験室（10）の仕切り板（21）は、それぞれに複数の貫通孔が形成された第１仕切り板（80）及び第２仕切り板（81）を備え、前記第１仕切り板（80）及び前記第２仕切り板（81）は、それらの一方又は両方がスライド可能に互いに重なって配置されている。前記開口（25）は、前記第１仕切り板（80）の第１貫通孔（82，82，…）と前記第２仕切り板の第２貫通孔（83，83，…）とが連通することにより形成され、前記第１貫通孔（82，82，…）と前記第２貫通孔（83，83，…）の位置をずらすことにより閉鎖されるように構成されている。
【００６７】
変形例３の仕切り板（21）は、第２仕切り板（81）の上に第１仕切り板（80）が重なるように構成されている。また、第１仕切り板（80）は第２仕切り板（81）の上をスライド可能に構成されている。
【００６８】
第１仕切り板（80）には複数の貫通孔である第１貫通孔（82，82，…）が形成されている。また、第２仕切り板には複数の貫通孔である第２貫通孔（83，83，…）が形成されている。そのため、第１仕切り板（80）をスライドさせて、第１貫通孔（82）と第２貫通孔（83）とが、それらの一部又は全部が互いに重なるように位置したとき、第１貫通孔（82）及び第２貫通孔（83）は連通する。このとき、仕切り板（21）の第１貫通孔（82）及び第２貫通孔（83）が連通した位置に開口（25）が形成される。一方、第１仕切り板（80）をスライドさせて、第１貫通孔（82）の全体が第２貫通孔（83）から全て外れるように位置したとき、第１貫通孔（82）及び第２貫通孔（83）は非連通となる。このとき、開口（25）は閉鎖される。
【００６９】
以上により、試験機である第２空調機（50）の設置位置に応じて、仕切り板（21）に形成される開口（25）の位置を変更できる。また、試験室（10）に複数台の第２空調機（50，50，…）を設置した場合、実際に試験を行う第２空調機（50）の設置位置に応じて、開口（25）の位置変更できる。そのため、複数台の第２空調機（50，50，…）の性能試験を効率良く行うことができる。このことにより、第２空調機（50）の性能試験の作業効率を向上させることができる。また、第２空調機（50）の真上に開口（25）を形成させることができるため、試験対象の第２空調機（50）から排出された空気を再び第２空調機（50）が直接吸い込むことを抑制できる。さらに、第１空調機（40）により下部空間（30）の給気口（12）から供給された空気が上部空間（20）の還気口（11）へ直接吸い込まれることも抑制できる。従って、第２空調機（50）の性能試験を正確に行うことができる。
【００７０】
《その他の実施形態》
前記実施形態については、以下のような構成としてもよい。
【００７１】
前記実施形態において、仕切り板（21）に配置されるパネル（22）は、縦３列及び横３列に限られない。パネル（22）がスライドすることによって、仕切り板（21）の複数位置に選択的に開口が形成できるように、２以上の複数のパネル（22，22，…）が仕切り板（21）に配置されていればよい。
【００７２】
前記仕切り板（21）に形成される開口（25）は、その数、大きさ及び形状の少なくとも１つが変更可能に構成されていてもよい。開口（25）の数を変更することにより、１つの試験で同時に複数の開口（25，25，…）を形成することができる。開口（25）の大きさ又は形状を変更することにより、下部空間（30）から上部空間（20）へ移動する空気の流量や流路を調節することができる。このことにより、多様な性能試験を実施することができる。
【００７３】
前記仕切り板（21）に形成される開口（25）には、網状の部材が設置されていてもよい。下部空間（30）から上部空間（20）への空気の流れが阻害されるようなものでなければよい。これにより、開口（25）には空気のみが通過することができる。
【００７４】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【００７５】
以上説明したように、本開示は、空調機試験室の仕切り構造について有用である。
【符号の説明】
【００７６】
10  試験室
20  上部空間
21  仕切り板
22  パネル
23  スライド部材（23）
25  開口
30  下部空間
40  第１空調機
50  第２空調機
60  板部材
61  ルーバ
70  シート部材
71  巻き取り装置
80  第１仕切板
81  第２仕切板
82  第１貫通孔
83  第２貫通孔
【図１】
2020143816.tif 000003
【図２】
2020143816.tif 000004
【図３】
2020143816.tif 000005
【図４】
2020143816.tif 000006
【図５】
2020143816.tif 000007
【図６】
2020143816.tif 000008
【図７】
2020143816.tif 000009
【図８】
2020143816.tif 000010